(57)【要約】【課題】回路基板に、水、尿等の液体が到達し難い便器装置及び便座装置を提供する。【解決手段】便器装置は、センサー７０、回路基板７１及び収容部材８を備える。回路基板７１は、センサー７０を実装する。収容部材８は、回路基板７１を収容する。収容部材８は、嵌込穴８９を有する。嵌込穴８９は、収容部材８の外部に向かって開口する。嵌込穴８９には、センサー７０が配置される。便器装置は、シール材７５と、スペーサー７４とを更に備える。シール材７５は、嵌込穴８９の内周面とセンサー７０との間を封止する。スペーサー７４は、シール材７５と回路基板７１との間に位置し、シール材７５の回路基板７１側への移動を規制する。【選択図】図３
2020199175.tif 000002
【特許請求の範囲】
【請求項１】
センサーと、
前記センサーを実装した回路基板と、
前記回路基板を収容した収容部材とを備え、
前記収容部材は、
前記収容部材の外部に向かって開口し、前記センサーが配置された嵌込穴を有し、
前記嵌込穴の内周面と前記センサーとの間を封止するシール材と、
前記シール材と前記回路基板との間に位置し、前記シール材の前記回路基板側への移動を規制するスペーサーとを更に備えた、
便器装置。
【請求項２】
前記収容部材は、
前記回路基板の前記センサーが実装された実装面に沿い、かつ、前記嵌込穴の前記内周面につながった一面を有し、
前記嵌込穴の前記内周面における前記一面側の端部は、前記回路基板の厚み方向において前記回路基板に近い部分ほど外側に位置した面取部であり、
前記スペーサーは、
前記シール材に対向し、かつ、前記面取部よりも前記シール材側に位置した対向面を有した、
請求項１に記載の便器装置。
【請求項３】
前記センサーは、
前記嵌込穴の内周面に沿った外周面を有し、
前記外周面の周長は、前記回路基板の厚み方向において前記回路基板に近い部分ほど長くなっている、
請求項１又は請求項２に記載の便器装置。
【請求項４】
便座と、
前記便座を回転可能に支持し、かつ、前記収容部材を内蔵した支持部材とを更に備え、
前記支持部材は、
前記支持部材の外部と内部とに通じるセンサー配置穴を有し、
前記センサー配置穴に、前記センサーにおける前記回路基板とは反対側の端部が位置し、
前記支持部材における前記センサー配置穴の周縁部と、前記収容部材における前記嵌込穴の周縁部との間を封止するパッキンを更に備えた、
請求項１〜３のいずれか１項に記載の便器装置。
【請求項５】
便座と、
前記便座を回転可能に支持した支持部材と、
センサーと、
前記センサーを実装した回路基板と、
前記回路基板を収容した収容部材とを備え、
前記支持部材は、前記収容部材を内蔵し、
前記収容部材は、
前記収容部材の外部に向かって開口し、前記センサーが配置された嵌込穴を有し、
前記嵌込穴の内周面と前記センサーとの間を封止するシール材と、
前記シール材と前記回路基板との間に位置し、前記シール材の前記回路基板側への移動を規制するスペーサーとを更に備えた、
便座装置。
【発明の詳細な説明】
【技術分野】
【０００１】
本開示は、便器装置、及び便座装置に関する。
【背景技術】
【０００２】
特許文献１には、トイレ装置が開示されている。このトイレ装置は、衛生洗浄装置を備えている。衛生洗浄装置の本体部には、人体検知センサが、本体部の上面に形成された凹設部に一部が埋め込まれた状態で、設置されている。人体検知センサは、衛生洗浄装置の前方にいる使用者の存在を検知する。トイレ装置は、人体検知センサが人体を検知すると、電動開閉ユニットを動作させて便蓋を自動的に開く。
【先行技術文献】
【特許文献】
【０００３】
【特許文献１】特開２００７−２０９６４２号公報
【発明の概要】
【発明が解決しようとする課題】
【０００４】
上述したトイレ装置は、衛生洗浄装置の本体部の上面において人体検知センサが設けられた箇所から、水、尿等の液体が本体部の内部に浸入し、人体検知センサを実装した基板に至るおそれがある。
【０００５】
本開示は上記事由に鑑みてなされており、回路基板に液体が到達し難い便器装置及び便座装置を提供することを目的とする。
【課題を解決するための手段】
【０００６】
本開示の一態様に係る便器装置は、センサーと、前記センサーを実装した回路基板と、前記回路基板を収容した収容部材とを備える。前記収容部材は、前記収容部材の外部に向かって開口し、前記センサーが配置された嵌込穴を有する。前記便器装置は、前記嵌込穴の内周面と前記センサーとの間を封止するシール材と、前記シール材と前記回路基板との間に位置し、前記シール材の前記回路基板側への移動を規制するスペーサーとを更に備える。
【０００７】
また、本開示の一態様に係る便座装置は、便座と、前記便座を回転可能に支持した支持部材と、センサーと、前記センサーを実装した回路基板と、前記回路基板を収容した収容部材とを備える。前記支持部材は、前記収容部材を内蔵する。前記収容部材は、前記収容部材の外部に向かって開口し、前記センサーが配置された嵌込穴を有する。前記便座装置は、前記嵌込穴の内周面と前記センサーとの間を封止するシール材と、前記シール材と前記回路基板との間に位置し、前記シール材の前記回路基板側への移動を規制するスペーサーとを更に備える。
【発明の効果】
【０００８】
前記一態様に係る便器装置及び便座装置は、回路基板に液体が到達することを抑制できる。
【図面の簡単な説明】
【０００９】
【図１】図１は、一実施形態の便器装置の斜視図である。
【図２】図２は、同上の便器装置のブロック図である。
【図３】図３は、同上の便器装置のセンサーユニットを示した断面図である。
【図４】図４は、同上のセンサーユニットの分解斜視図である。
【発明を実施するための形態】
【００１０】
（１）実施形態
以下に示す実施形態は、センサーを有する便座装置、及びこの便座装置を備えた便器装置に関する。
【００１１】
図１に示す本実施形態の便器装置１は、例えば、トイレットルームの床に設置され、腰掛大便器として用いられる。なお、以下では、水平な設置面に設置された便器装置１について、当該設置された状態における方向を用いて説明する。具体的には、図１に示すように上下方向、前後方向及び左右方向を規定して、便器装置１について説明する。
【００１２】
便器装置１は、便器本体２、便座５及び便蓋６を備えている。便器本体２は、便器形状を有している。便器本体２は、合成樹脂製であり、複数の樹脂成形品によって構成されている。便器本体２は、ボウル２０と、支持部材４とを有している。ボウル２０は、上方に開口した椀状に形成されており、ボウル２０の下端部には、排水管等に通じる排水口が形成されている。
【００１３】
支持部材４は、便器本体２におけるボウル２０の後方部から上方に向かって突出しており、便器本体２における後部の上端部を構成している。支持部材４は、便座５及び便蓋６の各々を左右方向と平行な回転軸回りに回転可能に支持している。
【００１４】
本実施形態の便器装置１は、便座装置３を備えており、便座装置３が、支持部材４、便座５及び便蓋６を有している。便座装置３は、図２に示す、給水装置３０、局部洗浄装置３１、便座加熱装置３２、便蓋開閉装置３３、便座開閉装置３４等の電動の装置と、これら装置３０〜３４を制御する制御部３５とを更に有している。
【００１５】
給水装置３０は、ボウル２０（図１参照）内に洗浄水を供給してボウル２０の内面を洗浄する。局部洗浄装置３１は、利用者の局部を洗浄する。便座加熱装置３２は、便座５（図１参照）を加熱する。便蓋開閉装置３３は、便蓋６（図１参照）を支持部材４に対して回転させて開閉する。便座開閉装置３４は、便座５を支持部材４に対して回転させて開閉する。制御部３５は、例えば、ＣＰＵ（Central Processing Unit）等の処理装置と、メモリ等の記憶部とを有し、記憶部に記憶された制御プログラムに従って、給水装置３０、局部洗浄装置３１、便座加熱装置３２、便蓋開閉装置３３及び便座開閉装置３４を制御する。
【００１６】
支持部材４（図１参照）は、給水装置３０、局部洗浄装置３１、便蓋開閉装置３３、便座開閉装置３４及び制御部３５を内蔵している。なお、便座加熱装置３２は、便座５に内蔵されている。支持部材４は、合成樹脂製である。
【００１７】
図１に示すように、支持部材４は、支持部材４に内蔵された装置を上方から覆うカバー部４０を有している。カバー部４０の上面は、便器本体２の後端部の上面を構成している。カバー部４０の前端部の一部は、後述するセンサーユニット７（図３参照）を取付可能な取付部４１を構成している。取付部４１は、図３に示すように、前後方向において前端に近い部分ほど下方に位置するように湾曲又は傾斜している。取付部４１には、取付部４１を貫通し、支持部材４の内部と外部とを通じさせるセンサー配置孔４２が形成されている。
【００１８】
便座装置３は、センサー７０を含んだセンサーユニット７を更に有している。センサーユニット７は、支持部材４に内蔵されている。センサーユニット７は、カバー部４０の取付部４１の内面（下面）に沿った状態で、取付部４１に取り付けられている。取付部４１のセンサー配置孔４２には、センサー７０の先端部（後述するレンズ７３の先端部７３０）が位置している。
【００１９】
センサー７０は、人体を検知する人体検知センサーである。センサー７０は、焦電型赤外線センサーであり、焦電効果によって赤外線を検出する。センサー７０によって検出した赤外線の変化量に基づいて、検知領域における人体の有無が検知される。センサー７０の検知領域は、支持部材４よりも前方に位置する領域である。すなわち、センサー７０は、便器装置１の前方に居る利用者、便座５に着座した利用者等、支持部材４の前方に居る利用者の身体を検知するためのセンサーである。
【００２０】
センサーユニット７は、センサー７０を実装した回路基板７１を更に有している。回路基板７１は、プリント配線板である。回路基板７１は、センサー７０によって検知された人体の有無に関する情報を、検知結果として制御部３５（図２参照）に送信する。制御部３５は、センサー７０の検知結果に基づいて、便座装置３が有する給水装置３０、便座加熱装置３２、便蓋開閉装置３３及び便座開閉装置３４を制御する。
【００２１】
図３に示すように、回路基板７１は、第１面７１１及び第２面７１２を有している。回路基板７１の厚み方向の両側の面のうちの一方の面が、第１面７１１であり、他方の面が第２面７１２である。第１面７１１は、カバー部４０の取付部４１が位置する前斜め上方を向いている。第２面７１２は、取付部４１とは反対側を向いている。センサー７０は、第１面７１１に実装されており、第１面７１１に沿っている。すなわち、第１面７１１は、センサー７０が実装された実装面である。センサー７０は、回路基板７１から取付部４１側に向かって突出している。
【００２２】
センサー７０は、焦電効果によって赤外線を検出する素子７２と、素子７２を包囲したレンズ７３とを有している。レンズ７３は、砲弾型レンズであり、回路基板７１とは反対側の端部である先端部７３０が、略半球状に形成されたマルチレンズとなっている。
【００２３】
レンズ７３は、先端部７３０の周縁部から回路基板７１側に向かって突出した筒部７３１を有している。筒部７３１は、軸方向が回路基板７１の厚み方向と平行な円筒状に形成されている。素子７２は、筒部７３１の内側に位置している。
【００２４】
センサー７０の外周面は、先端部７３０の外周面と、筒部７３１の外周面とで構成されている。筒部７３１は、その外周面の周長（筒部７３１の外径）が、回路基板７１の厚み方向において回路基板７１に近い部分ほど大きくなっている。これにより、レンズ７３の外周面の周長は、レンズ７３の先端から基端に近い部分ほど、大きくなっている。すなわち、レンズ７３は、回路基板７１に近い部分ほど太くなっている。
【００２５】
センサーユニット７は、センサー７０の周囲に位置したスペーサー７４及びシール材７５を更に有している。スペーサー７４は、回路基板７１の厚み方向に見て円環状で、かつ、軸方向が回路基板７１の厚み方向と平行な円筒状に形成されており、センサー７０の筒部７３１の外周面に沿っている。スペーサー７４は、例えば、合成樹脂製である。
【００２６】
シール材７５は、回路基板７１の厚み方向に見て円環状に形成されており、センサー７０の筒部７３１の外周面に沿っている。本実施形態のシール材７５は、弾性を有するＯリングであり、例えば、ゴム製である。シール材７５は、スペーサー７４の取付部４１側（回路基板７１とは反対側）に位置している。すなわち、スペーサー７４は、シール材７５と回路基板７１との間に位置している。スペーサー７４における回路基板７１とは反対側の端面は、シール材７５に対向する対向面７４０である。すなわち、スペーサー７４は、シール材７５に対向する対向面７４０を有している。
【００２７】
センサーユニット７は、回路基板７１を収容した収容部材８を更に有している。収容部材８は、センサーユニット７の外殻を構成している。収容部材８は、カバー部４０の取付部４１の内面に沿って位置している。収容部材８は、ねじ等の複数の固着具によってカバー部４０に取り付けられている。これにより、センサーユニット７は、取付部４１に対して固定されている。
【００２８】
図４に示すように、収容部材８は、基板収容部８０を有している。基板収容部８０は回路基板７１を収容する部分である。基板収容部８０は、矩形の箱状に形成されている。
【００２９】
図３に示すように、基板収容部８０は、規制部８１と、周囲部８２とを有している。規制部８１は、回路基板７１の第１面７１１に対向している。規制部８１は、回路基板７１の厚み方向に見て矩形となる板状に形成されている。規制部８１は、回路基板７１側に面し、回路基板７１の第１面７１１に沿った接触面８３を有している。すなわち、収容部材８は、回路基板７１の第１面７１１に沿った一面として、接触面８３を有している。接触面８３は、回路基板７１の第１面７１１に接触している。これにより、規制部８１は、回路基板７１の取付部４１側へ移動を規制している。
【００３０】
周囲部８２は、規制部８１の周縁部から取付部４１とは反対側に向かって突出している。周囲部８２は、軸方向が回路基板７１の厚み方向と平行で、かつ、回路基板７１の厚み方向に見て矩形となる筒状に形成されている。周囲部８２の内側には、基板用穴８４が形成されている。回路基板７１は、基板用穴８４に位置しており、周囲部８２の内側に嵌まっている。
【００３１】
基板収容部８０には、周囲部８２における規制部８１とは反対側の端部で囲まれた開口８５が形成されている。基板用穴８４は、開口８５を介して取付部４１とは反対側に向かって開口している。センサーユニット７の組立時において、回路基板７１は、開口８５から基板用穴８４に挿入される。回路基板７１は、ねじ等の複数の固着具７６（図４参照）によって収容部材８に取り付けられている。
【００３２】
収容部材８は、センサー収容部８６を更に有している。センサー収容部８６は、収容部材８においてセンサー７０を収容する部分である。センサー収容部８６は、規制部８１から取付部４１側に向かって突出している。
【００３３】
センサー収容部８６は、周壁部８７と、抜止部８８とを有している。周壁部８７は、規制部８１から取付部４１側に向かって突出している。周壁部８７は、軸方向が回路基板７１の厚み方向と平行で、かつ、回路基板７１の厚み方向に見て円形となる筒状に形成されている。周壁部８７の内側には、基板用穴８４に直接通じた第１穴８９１が形成されている。第１穴８９１は、回路基板７１の厚み方向に見て円形の穴である。
【００３４】
抜止部８８は、周壁部８７における取付部４１側（規制部８１とは反対側）の端部から周壁部８７の内側に向かって突出している。抜止部８８は、回路基板７１の厚み方向に見て円環状に形成されている。抜止部８８の内側には、回路基板７１の厚み方向に貫通し、第１穴８９１に直接通じた第２穴８９２が形成されている。第２穴８９２は、回路基板７１の厚み方向に見て、第１穴８９１よりも小さい円形の穴である。
【００３５】
センサー収容部８６は、第１穴８９１と第２穴８９２とで構成された嵌込穴８９を有している。嵌込穴８９は、センサー収容部８６を回路基板７１の厚み方向に貫通している。嵌込穴８９における取付部４１側の端部を除いた残りの部分の内周面は、周壁部８７の内周面によって構成されている。周壁部８７の内周面は、センサー７０の外周面に沿っている。嵌込穴８９には、スペーサー７４及びシール材７５を介してセンサー７０が嵌まっている。
【００３６】
周壁部８７の内周面は、回路基板７１の第１面７１１に沿った接触面８３につながっている。周壁部８７の内周面は、面取部９０を有している。面取部９０は、周壁部８７の内周面における回路基板７１側の端部で構成されており、当該内周面の周方向の全長にわたっている。面取部９０は、回路基板７１の厚み方向において回路基板７１に近い部分ほど外側に位置するように傾斜又は湾曲している。このため、センサーユニット７の組立時において、作業者は、スペーサー７４及びシール材７５で囲まれたセンサー７０を、基板用穴８４側から嵌込穴８９に容易に挿入することができる。
【００３７】
収容部材８の抜止部８８は、シール材７５の取付部４１側に位置しており、シール材７５に対向している。抜止部８８は、シール材７５の取付部４１側への移動を規制する。これにより、シール材７５が、嵌込穴８９から取付部４１側に抜け出ることが抑制される。
【００３８】
シール材７５は、収容部材８の周壁部８７の内周面と、センサー７０の筒部７３１の外周面との間に挟まれて圧縮されており、周壁部８７の内周面と筒部７３１の外周面との間を封止している。これにより、水、尿等の液体が、支持部材４の外部から、センサー配置孔４２を通って嵌込穴８９に入っても、この液体が回路基板７１側に流れることが抑制される。
【００３９】
スペーサー７４は、回路基板７１の第１面７１１に接触することで、シール材７５とは反対側への移動が規制される。スペーサー７４の回路基板７１の厚み方向における長さは、スペーサー７４が第１面７１１に接触した状態において、対向面７４０が面取部９０よりもシール材７５側に位置するように設定されている。スペーサー７４は、シール材７５が対向面７４０に接触することにより、シール材７５の回路基板７１側への移動を規制する。これにより、シール材７５が面取部９０よりも回路基板７１側に移動することが規制される。センサー７０のレンズ７３は、収容部材８の嵌込穴８９を貫通しており、レンズ７３の先端部７３０は、抜止部８８よりも取付部４１側に突出している。
【００４０】
便器装置１は、パッキン３６を更に有している。パッキン３６は、収容部材８の抜止部８８と、カバー部４０におけるセンサー配置孔４２の周縁部４３との間に位置している。パッキン３６は、回路基板７１の厚み方向に見て環状に形成されている。パッキン３６は、レンズ７３の外周面に沿っている。パッキン３６は、抜止部８８と周縁部４３とで挟まれて圧縮されている。パッキン３６は、抜止部８８と周縁部４３との間を封止している。これにより、水、尿等の液体が、支持部材４の外部からセンサー配置孔４２に入っても、この液体が抜止部８８と周縁部４３との間を通過することが制される。
【００４１】
レンズ７３の先端部７３０は、カバー部４０のセンサー配置孔４２に位置しており、支持部材４の外部に露出している。支持部材４の外部の赤外線は、レンズ７３の先端部７３０を通過して、センサー７０の素子７２に到達する。
【００４２】
なお、図１に示す便蓋６は、閉じた状態でセンサー７０を上方から覆う。この便蓋６におけるセンサー７０に対応する部分は、他の部分よりも赤外線を透過しやすい透過部であってもよい。この場合、便蓋６が閉じた状態にある場合にも、センサー７０によって利用者の身体を検知することが可能になる。もちろん、便蓋６が閉じた状態でセンサー７０による検知を行わない場合には、便蓋６は透過部を有さなくてもよい。
【００４３】
センサーユニット７は、例えば、以下に示すように組み立てられる。作業者は、まず、図４に示すように回路基板７１に実装されたセンサー７０を、スペーサー７４の内側及びシール材７５の内側に嵌め込む。これにより、スペーサー７４及びシール材７５が、センサー７０に取り付けられる。
【００４４】
次に作業者は、図３に示すように、回路基板７１を収容部材８の開口８５から基板用穴８４に挿入し、センサー７０、シール材７５及びスペーサー７４を収容部材８の嵌込穴８９に挿入する。これにより、回路基板７１の第１面７１１は、収容部材８の接触面８３に接触する。また、センサー７０は、シール材７５及びスペーサー７４を介して嵌込穴８９に嵌め込まれる。そして、作業者は、回路基板７１を複数の固着具７６（図４参照）によって収容部材８に取り付け、これにより、センサーユニット７の組み立てが完了する。
【００４５】
センサーユニット７の組立時において、センサー７０が収容部材８の嵌込穴８９に挿入されるとき、センサー７０に取り付けられたシール材７５は、嵌込穴８９の内周面（周壁部８７の内周面）に接触することにより、レンズ７３の外周面に沿って回路基板７１側に移動しようとする。しかし、本実施形態では、シール材７５と回路基板７１との間にスペーサー７４が位置している。このため、シール材７５が回路基板７１の近くまで移動することが規制される。
【００４６】
ここで、収容部材８の面取部９０と回路基板７１との間には、隙間７７が形成される。また、センサー７０のレンズ７３と回路基板７１との間にも、僅かな隙間が形成される可能性がある。このため、シール材７５が回路基板７１に極めて近い位置まで移動して、隙間７７に対応する箇所に位置すると、嵌込穴８９の内周面とレンズ７３の外周面とによるシール材７５を圧縮する力が弱まり、シール材７５による封止が不十分になる恐れがある。しかし、本実施形態では、前述したように、シール材７５の回路基板７１側への移動が、スペーサー７４によって規制される。このため、センサーユニット７の組立時において、シール材７５が回路基板７１の近くにまで移動することが抑制され、シール材７５による封止が不十分になることが抑制される。
【００４７】
また、センサーユニット７の組立後においても、収容部材８が振動等したときには、シール材７５が回路基板７１側に移動しようとする可能性もある。しかし、この場合も、シール材７５の回路基板７１側への移動は、スペーサー７４によって規制されるため、シール材７５による封止が不十分になることが抑制される。
【００４８】
また、前述したように、本実施形態のセンサー７０の外周面の周長は、回路基板７１の厚み方向において回路基板７１に近い部分ほど大きくなっている。このため、センサー７０の外周面によっても、シール材７５の回路基板７１側への移動が規制される。
【００４９】
前述したように組み立てられたセンサーユニット７は、例えば、以下に示すように支持部材４に取り付けられる。まず、作業者は、収容部材８の抜止部８８をパッキン３６を介してカバー部４０の取付部４１におけるセンサー配置孔４２の周縁部４３の内面に沿って配置し、収容部材８の嵌込穴８９から突出したセンサー７０の先端部７３０をセンサー配置孔４２に挿入する。そして、作業者は、収容部材８を複数の固着具によって取付部４１に取り付ける。これにより、センサーユニット７の支持部材４への取付けが完了する。
【００５０】
（２）変形例
上記実施形態における便器装置１及び便座装置３は、適宜設計変更可能である。例えば、センサー７０として用いられる人体検知センサーは、焦電型赤外線センサー（パッシブセンサー）に限定されない。人体検知センサーは、例えば、赤外線、超音波、可視光又はこれらの組み合わせを人体に対して照射して人体までの距離を測定することで人体の有無を検知する測距センサー（アクティブセンサー）等であってもよい。また、センサー７０は人体検知センサーに限定されない。例えば、センサー７０は、便座５、便蓋６、トイレ室の扉等の開閉状態を検知する開閉検知センサーであってもよい。また、センサー７０は、温度センサー、湿度センサー、脈波センサー等であってもよい。
【００５１】
また、シール材７５は、断面円形のＯリングに限定されず、例えば、断面四角形状の角リング、断面Ｘ字状のＸリング、断面Ｄ字状のＤリング等であってもよい。また、スペーサー７４は、回路基板７１の厚み方向に見て円環状に形成されたものに限定されず、例えば、回路基板７１の厚み方向に見てＣ字状に形成されてもよい。また、上記実施形態のスペーサー７４は、一つの部材であるが、例えば、センサー７０の周囲方向に並んだ複数の部材等から構成されてもよい。
【００５２】
また、便座装置３は、給水装置３０、局部洗浄装置３１、便座加熱装置３２、便蓋開閉装置３３及び便座開閉装置３４のうち、少なくとも１つの装置を有していればよい。また、便座装置３は、ボウル２０の内部を脱臭する脱臭装置、空調装置、発音装置等の装置を備えてもよい。また、この他、便器装置１の各部材の形状、大きさ、材質等は、適宜変更可能である。
【００５３】
（３）態様
以上説明した実施形態から明らかなように、第１の態様の便器装置（１）は、以下に示す構成を有する。便器装置（１）は、センサー（７０）、回路基板（７１）及び収容部材（８）を備える。回路基板（７１）は、センサー（７０）を実装する。収容部材（８）は、回路基板（７１）を収容する。収容部材（８）は、嵌込穴（８９）を有する。嵌込穴（８９）は、収容部材（８）の外部に向かって開口する。嵌込穴（８９）には、センサー（７０）が配置される。便器装置（１）は、シール材（７５）と、スペーサー（７４）とを更に備える。シール材（７５）は、嵌込穴（８９）の内周面とセンサー（７０）との間を封止する。スペーサー（７４）は、シール材（７５）と回路基板（７１）との間に位置し、シール材（７５）の回路基板（７１）側への移動を規制する。
【００５４】
この態様によれば、シール材（７５）の回路基板（７１）側への移動が、スペーサー（７４）によって規制される。このため、シール材（７５）が回路基板（７１）の近くにまで移動することが抑制され、シール材（７５）による封止が不十分になることが抑制される。
【００５５】
第２の態様の便器装置（１）は、第１の態様との組み合わせにより実現され得る。第２の態様の便器装置（１）は、以下に示す構成を有する。収容部材（８）は、一面（接触面８３）を有する。前記一面は、回路基板（７１）のセンサー（７０）が実装された実装面（第１面７１１）に沿い、かつ、嵌込穴（８９）の内周面につながる。嵌込穴（８９）の内周面における前記一面側の端部は、回路基板（７１）の厚み方向において回路基板（７１）に近い部分ほど外側に位置する面取部（９０）である。スペーサー（７４）は、対向面（７４０）を有する。対向面（７４０）は、シール材（７５）に対向し、かつ、面取部（９０）よりもシール材（７５）側に位置する。
【００５６】
この態様によれば、嵌込穴（８９）の内周面における前記一面側（回路基板７１側）の端部に、面取部（９０）が形成される。このため、センサーユニット（７）の組立時において、作業者は、スペーサー（７４）及びシール材（７５）で囲まれたセンサー（７０）を、嵌込穴（８９）に容易に挿入することができる。また、スペーサー（７４）の対向面（７４０）がシール材（７５）に接触することにより、シール材（７５）が面取部（９０）に対応する箇所に移動することが規制される。このため、シール材（７５）が面取部（９０）に対応する箇所まで移動して、シール材（７５）による封止が不十分になることが抑制される。
【００５７】
第３の態様の便器装置（１）は、第１又は第２の態様との組み合わせにより実現され得る。第３の態様の便器装置（１）は、以下に示す構成を有する。センサー（７０）は、嵌込穴（８９）の内周面に沿った外周面を有する。外周面の周長は、回路基板（７１）の厚み方向において回路基板（７１）に近い部分ほど長くなっている。
【００５８】
この態様によれば、センサー（７０）の外周面によっても、シール材（７５）の回路基板（７１）側への移動が規制される。したがって、シール材（７５）による封止が不十分になることが一層抑制される。
【００５９】
第４の態様の便器装置（１）は、第１〜第３のいずれか一つの態様との組み合わせにより実現され得る。第４の態様の便器装置（１）は、以下に示す構成を有する。便器装置（１）は、便座（５）と、支持部材（４）とを更に備える。支持部材（４）は、便座（５）を回転可能に支持し、かつ、収容部材（８）を内蔵する。支持部材（４）は、センサー配置孔（４２）を有する。センサー配置孔（４２）は、支持部材（４）の外部と内部とに通じる。センサー配置孔（４２）に、センサー（７０）における回路基板（７１）とは反対側の端部が位置する。便器装置（１）は、パッキン（３６）を更に備える。パッキン（３６）は、支持部材（４）におけるセンサー配置孔（４２）の周縁部（４３）と、収容部材（８）における嵌込穴（８９）の周縁部との間を封止する。
【００６０】
この態様によれば、水、尿等の液体が、支持部材（４）の外部からセンサー配置孔（４２）に入っても、この液体は、パッキン（３６）により止められる。すなわち、この液体は、パッキン（３６）により、支持部材（４）におけるセンサー配置孔（４２）の周縁部（４３）と、収容部材（８）における嵌込穴（８９）の周縁部との間を通過することが抑制される。
【００６１】
第５の態様の便座装置（３）は、以下に示す構成を有する。便座装置（３）は、便座（５）、支持部材（４）、センサー（７０）、回路基板（７１）及び収容部材（８）を備える。支持部材（４）は、便座（５）を回転可能に支持する。回路基板（７１）は、センサー（７０）を実装する。収容部材（８）は、回路基板（７１）を収容する。支持部材（４）は、収容部材（８）を内蔵する。収容部材（８）は、嵌込穴（８９）を有する。嵌込穴（８９）は、収容部材（８）の外部に向かって開口する。嵌込穴（８９）には、センサー（７０）が配置される。便座装置（３）は、シール材（７５）と、スペーサー（７４）とを更に備える。シール材（７５）は、嵌込穴（８９）の内周面とセンサー（７０）との間を封止する。スペーサー（７４）は、シール材（７５）と回路基板（７１）との間に位置し、シール材（７５）の回路基板（７１）側への移動を規制する。
【００６２】
この態様によれば、シール材（７５）の回路基板（７１）側への移動が、スペーサー（７４）によって規制される。このため、シール材（７５）が回路基板（７１）の近くにまで移動することが抑制され、シール材（７５）による封止が不十分になることが抑制される。
【符号の説明】
【００６３】
１  便器装置
３  便座装置
３６  パッキン
４  支持部材
４２  センサー配置孔
４３  周縁部
５  便座
７０  センサー
７１  回路基板
７１１  第１面（実装面）
７４  スペーサー
７４０  対向面
７５  シール材
８  収容部材
８３  接触面（収容部材の一面）
８９  嵌込穴
９０  面取部
【図１】
2020199175.tif 000003
【図２】
2020199175.tif 000004
【図３】
2020199175.tif 000005
【図４】
2020199175.tif 000006